(57)【特許請求の範囲】
【請求項１】
内部に加熱ヒーターを備えて、高温で加熱され、外周縁に長さ方向に沿って形成される多数の溝を備えたアイロンロールと、
下部が前記アイロンロールの溝に締結されて前記アイロンロールと結合するブラシとを備え、
前記ブラシは、
垂直方向に沿って内部に中空を具備し、下部が前記アイロンロールの溝に締結され、上部がアイロンロールの表面から突出する少なくとも一つの熱伝達部と、
前記熱伝達部の中空内に位置されて前記熱伝達部と結合され、上部が前記熱伝達部の上部から突出して露出する複数の熱遮断部とを備え、
熱伝達部と熱遮断部とが結合されたブラシを前記アイロンロールの溝に熱遮断部が一列になるように配置することを特徴とするブラシ付アイロン。
【請求項２】
前記熱伝達部は金属材質からなることを特徴とする請求項１に記載のブラシ付アイロン。
【請求項３】
前記熱伝達部は、内部に中空を具備する筒状で複数個を備えると共に、下部の直径が上部の直径より大きくなるように形成され、前記アイロンロールの溝は、アイロンロールの表面での大きさよりも、内部での大きさが大きくなるように形成され、前記アイロンロールの溝に前記熱伝達部の下部が締結されることを特徴とする請求項１に記載のブラシ付アイロン。
【請求項４】
前記熱伝達部は、内部に中空を具備する筒状の同一形状で複数個を備えると共に、下部の直径が上部の直径より大きくなるように形成され、前記熱伝達部の下部をアイロンロールの溝に配置させた時に、隣接する熱伝達部の上部が相互間に離隔されることを特徴とする請求項１に記載のブラシ付アイロン。
【請求項５】
前記熱遮断部はプラスチック材質からなることを特徴とする請求項１に記載のブラシ付アイロン。
【請求項６】
前記熱伝達部は内部に中空を具備する筒状で複数個を備え、前記熱遮断部は前記熱伝達部と同一の数で備えられており、前記熱伝達部より大きい高さを備えて、前記熱伝達部の上部より突出することを特徴とする請求項１に記載のブラシ付アイロン。
【請求項７】
前記熱伝達部は中空を具備する複数の溝を備えた長尺に形成され、前記熱遮断部は、前記熱伝達部の中空となる溝にそれぞれ結合する個別の形態に形成され、前記熱伝達部の上部より突出することを特徴とする請求項１に記載のブラシ付アイロン。
【請求項８】
前記ブラシは前記熱伝達部の前端または後端のうちの少なくとも一端に前記熱遮断部と同一材質からなる保護部をさらに含むことを特徴とする請求項１に記載のブラシ付アイロン。
【請求項９】
前記加熱ヒーターは、前記アイロンロールの内部に長さ方向に沿って形成するホールの内部に長さ方向に沿って配列されていることを特徴とする請求項１に記載のブラシ付きアイロン。
【請求項１０】
前記アイロンロールは円筒形状からなり、側面の長さ方向に沿って前記溝が形成されることを特徴とする請求項１に記載のブラシ付アイロン。
【請求項１１】
前記アイロンロールはプレート形状からなり、上面の長さ方向に沿って前記溝が形成されることを特徴とする請求項１に記載のブラシ付アイロン。
【発明の詳細な説明】
【技術分野】
【０００１】
本発明はブラシ付アイロンに関する。
【背景技術】
【０００２】
一般に、人々、特に女性たちは髪の手入れをして所望のヘアスタイルを作る時に、ロールブラシなどの櫛でヘアスタイルを作り、ドライヤーの熱を使用してヘアスタイルを固定する方式を使用する。ところで、このような方式は櫛とドライヤーを同時に使わなければならないので、使用上の面倒さと不便さがある。また、櫛とドライヤーを利用して毛髪に力を加えることにより毛髪を望みどおりに変形させるので、手間がかかる問題点がある。さらに、美容師のような専門職の人々はこのような作業を繰り返し行わなければならないので、長時間の作業により一層大変になる問題点がある。
【発明の概要】
【発明が解決しようとする課題】
【０００３】
本発明は、使用者の毛髪に熱を加えて所望のヘアスタイルをセッティングすることができ、使用者の頭皮を熱から保護することができるブラシ付アイロンを提供する。
【課題を解決するための手段】
【０００４】
本発明によるブラシ付アイロンは、
内部に加熱ヒーターを備えて、高温で加熱され、外周縁に長さ方向に沿って形成される多数の溝を備えたアイロンロールと、
下部が前記アイロンロールの溝に締結されて前記アイロンロールと結合するブラシとを備え、
前記ブラシは、
垂直方向に沿って内部に中空を具備し、下部が前記アイロンロールの溝に締結され、上部がアイロンロールの表面から突出する少なくとも一つの熱伝達部と、
前記熱伝達部の中空内に位置されて前記熱伝達部と結合され、上部が前記熱伝達部の上部から突出して露出する複数の熱遮断部とを備え、
熱伝達部と熱遮断部とが結合されたブラシを前記アイロンロールの溝に熱遮断部が一列になるように配置することを特徴とする。
【０００５】
ここで、前記熱伝達部は金属材質で形成することができる。
【０００６】
そして、前記熱伝達部は、内部に中空を具備する筒状で複数個を備えると共に、下部の直径が上部の直径より大きくなるように形成され、前記アイロンロールの溝は、アイロンロールの表面での大きさよりも、内部での大きさが大きくなるように形成され、前記アイロンロールの溝に前記熱伝達部の下部が締結されることができる。
【０００７】
また、前記熱伝達部は、内部に中空を具備する筒状の同一形状で複数個を備えると共に、下部の直径が上部の直径より大きくなるように形成され、前記熱伝達部の下部をアイロンロールの溝に配置させた時に、隣接する熱伝達部の上部が相互間に離隔されるようにすることができる。
【０００８】
また、前記熱遮断部はプラスチック材質から形成することができる。
【０００９】
また、前記熱伝達部は内部に中空を具備する筒状で複数個を備え、前記熱遮断部は前記熱伝達部と同一の数で備えられており、前記熱伝達部より大きい高さを備えて、前記熱伝達部の上部より突出するようにすることができる。
【００１０】
また、前記熱伝達部は中空を具備する複数の溝を備えた長尺に形成され、前記熱遮断部は、前記熱伝達部の中空となる溝にそれぞれ結合される個別的な形態に形成され、前記熱伝達部の上部より突出することができる。
【００１１】
また、前記ブラシは前記熱伝達部の前端または後端のうちの少なくとも一端に前記熱遮断部と同一材質からなる保護部をさらに含むことができる。
【００１２】
また、前記加熱ヒーターは、前記アイロンロールの内部に長さ方向に沿って形成するホールの内部に長さ方向に沿って配列されるようにすることができる。
【００１３】
また、前記アイロンロールは円筒形状からなり、側面の長さ方向に沿って前記溝が形成されることができる。
【００１４】
また、前記アイロンロールはプレート形状からなり、上面の長さ方向に沿って前記溝が形成されることができる。
【発明の効果】
【００２２】
本発明によるブラシ付アイロンはアイロンロールの側面に長さ方向に沿って溝を具備し、溝に結合される熱伝達部を備えて、使用者の毛髪に熱伝達部が接触するようにしてヘアスタイルのセッティングを容易に行うことができる。
また、本発明によるブラシ付アイロンは前記熱伝達部の内部に形成され上部にさらに突出する熱遮断部を備えて、使用者の頭皮に熱遮断部が接触することによって、使用者の頭皮を温度が高い熱伝達部から保護できる。
【図面の簡単な説明】
【００２３】
【図１】本発明の一実施形態によるブラシ付アイロンを示す斜視図である。
【図２】本発明の図１のＡ−Ａ’線断面図である。
【図３】本発明の一実施形態によるブラシ付アイロンのアイロンロールを示す斜視図である。
【図４】本発明の一実施形態によるブラシ付アイロンのアイロンロールを示す断面図である。
【図５】本発明の一実施形態によるブラシ付アイロンのブラシを示す断面図である。
【図６】本発明の一実施形態によるブラシ付アイロンの熱伝導部を示す断面図である。
【図７】本発明の一実施形態によるブラシ付アイロンの熱遮断部を示す断面図である。
【図８】本発明の他の実施形態によるブラシ付アイロンのアイロンロールとブラシの結合を示す断面図である。
【図９】本発明の他の実施形態によるブラシ付アイロンのブラシを示す斜視図である。
【図１０】本発明の他の実施形態によるブラシ付アイロンのブラシを示す正面図である。
【図１１】本発明の他の実施形態によるブラシ付アイロンのブラシを示す側面図である。
【図１２】本発明の他の実施形態によるブラシ付アイロンのブラシを示す平面図である。
【図１３】本発明のまた他の実施形態によるブラシ付アイロンを示す斜視図である。
【図１４】本発明のまた他の実施形態によるブラシ付アイロンを示す側面図である。
【図１５】本発明のまた他の実施形態によるブラシ付アイロンのアイロンロールを示す正面図である。
【図１６】本発明のまた他の実施形態によるブラシ付アイロンのアイロンロールを示す平面図である。
【図１７】本発明のまた他の実施形態によるブラシ付アイロンの熱伝導部を示す側面図である。
【図１８】本発明のまた他の実施形態によるブラシ付アイロンの保護部を示す側面図である。
【図１９】本発明のまた他の実施形態によるブラシ付アイロンの熱伝導部に熱遮断部および保護部が結合した状態を示す側面図である。
【発明を実施するための形態】
【００２４】
本発明の属する技術分野において通常の知識を有する者が容易に実施できるよう、本発明の望ましい実施形態を図面を参照して詳細に説明する。
【００２５】
以下、本発明の一実施形態によるブラシ付アイロンの構成について説明する。
【００２６】
図１は、本発明の一実施形態によるブラシ付アイロンを示す斜視図である。図２は、本発明の図１のＡ−Ａ’線断面図である。図３は、本発明の一実施形態によるブラシ付アイロンのアイロンロールを示す斜視図である。図４は、本発明の一実施形態によるブラシ付アイロンのアイロンロールを示す断面図である。図５は、本発明の一実施形態によるブラシ付アイロンのブラシを示す断面図である。図６は、本発明の一実施形態によるブラシ付アイロンの熱遮断部を示す断面図である。図７は、本発明の一実施形態によるブラシ付アイロンの熱伝導部を示す断面図である。
【００２７】
図１乃至図７を参照すれば、本発明の一実施形態によるブラシ付アイロン１００は、取っ手１１０、アイロンロール１２０、加熱ヒーター１３０、ブラシ１４０および固定部１５０を含む。
【００２８】
前記取っ手１１０は使用者が本発明の一実施形態によるブラシ付アイロン１００を使うとき、使用者の手によって把持される部分である。前記取っ手１１０は、一端に形成される前記加熱ヒーター１３０に電力を加えるために他端が電源（図示せず）に接続される。このとき、前記取っ手１１０の外部は使用者の安全のために、電気的および熱的絶縁体から構成される。
【００２９】
また、前記取っ手１１０は電源のオンオフを制御するためのスイッチ１１１、前記ブラシ１４０の温度を調節するための温度調節ボタン１１２、前記ブラシ１４０の現在の温度をＬＥＤ等を使用して表示するディスプレイ１１３などを含んで構成される。
【００３０】
前記アイロンロール１２０は前記取っ手１１０の一端に結合される。前記アイロンロール１２０は前記取っ手１１０から長さ方向を有するように位置し、金属材質で形成される。前記アイロンロール１２０は内部の前記加熱ヒーター１３０から熱伝達され、伝達された熱は前記ブラシ１４０に伝達される。
【００３１】
前記アイロンロール１２０は長さ方向に沿って内部に形成されたホール１２１を有する。そして、前記ホール１２１には前記加熱ヒーター１３０が結合されるので、前記加熱ヒーター１３０は前記アイロンロール１２０の長さ方向に沿って形成され、前記アイロンロール１２０に全体的に均一な程度の熱を加えることができる。
【００３２】
前記アイロンロール１２０はほぼ円筒形状に備えられ、外周縁に前記ブラシ１４０が結合されるための第１溝１２２を備える。前記第１溝１２２は、前記アイロンロール１２０の側面に沿って長さ方向に形成される。また、前記第１溝１２２は、前記アイロンロール１２０の表面での大きさよりも、前記アイロンロール１２０の内部での大きさが大きく形成されて、前記第１溝１２２に結合される前記ブラシ１４０が離脱するのを防止することができる。前記第１溝１２２は、前記アイロンロール１２０の周囲に沿って形成され、ほぼ放射状に形成される。したがって、これに結合された前記ブラシ１４０が通常のロール櫛のような形状に設定することができる。
【００３３】
また、前記アイロンロール１２０の端部には第２溝１２３が形成され、前記第２溝１２３には前記固定部１５０が結合される。前記固定部１５０は前記第１溝１２２の側部を密閉して、前記第１溝１２２に結合された前記ブラシ１４０を固定する。
【００３４】
前記加熱ヒーター１３０は前記アイロンロール１２０のホール１２１内部に形成される。前記加熱ヒーター１３０は前記アイロンロール１２０の内部で長さ方向に沿って配列されるので、前記アイロンロール１２０に均一な程度の熱を加えることができる。前記加熱ヒーター１３０は、通常のヒーター、例えば、セラミックヒーターにより構成することができるが、前記加熱ヒーター１３０の種類として本発明の内容を限定するものではない。
【００３５】
前記ブラシ１４０は、複数個備えられており、前記アイロンロール１２０の第１溝１２２に結合される。前記ブラシ１４０は前記第１溝１２２ごとに一列に結合される。また、前記ブラシ１４０は前記第１溝１２２と同じ個数を有し、前記第１溝１２２ごとに結合することができるが、選択によっては、前記第１溝１２２より少ない個数で用いられて、前記第１溝１２２のうちの選択された一部にだけ形成することもできる。
【００３６】
前記ブラシ１４０は前記アイロンロール１２０から熱伝達され、前記熱を使用者の毛髪に伝達することによってヘアスタイルをセッティングできる。
【００３７】
前記ブラシ１４０は前記アイロンロール１２０の第１溝１２２に結合される熱伝達部１４１と、前記熱伝達部１４１の内部に形成される熱遮断部１４２を含んで形成される。
【００３８】
前記熱伝達部１４１は前記アイロンロール１２０の第１溝１２２に結合するように下部の直径が上部の直径より大きく形成されて、前記下部が前記第１溝１２２に結合される。前記熱伝達部１４１は、前記アイロンロール１２０から伝達される熱を使用者の毛髪に伝達しなければならないから、熱伝導性が良い金属材質から形成することができる。また、前記熱伝達部１４１は垂直方向に内部を貫く中空を有する。前記熱遮断部１４２は、前記中空を通すことによりその上部が露出できる。また、前記熱伝達部１４１の中空は下部の直径が上部の直径より大きくなるような段差１４１ａを有する。したがって、前記段差１４１ａに前記熱遮断部１４２が結合すると離脱するのが防止される。また、前記熱伝達部１４１は、下部の外周縁が一定の厚さｄを有するように形成される。したがって、前記熱伝達部１４１の厚さｄによって、隣接して位置する熱伝達部１４１の相互間の距離が離隔される。
【００３９】
前記熱遮断部１４２は前記熱伝達部１４１の中空に位置する。また、前記熱遮断部１４２は下部の直径が上部の直径より大きくなるように形成されて、段差１４２ａを有する。そして、前記熱遮断部１４２の段差１４２ａは前記熱伝達部１４１の段差１４１ａに結合される。前記熱遮断部１４２は前記熱伝達部１４１の厚さｄによって相互に離隔される。前記熱遮断部１４２の高さは前記熱伝達部１４１の高さより高く形成されるので、前記熱遮断部１４２は前記熱伝達部１４１の上部に突出して露出する。
【００４０】
また、前記熱遮断部１４２は前記熱伝達部１４１およびアイロンロール１２０の熱が伝えられるのを減らすために熱伝導性が低いプラスチック材質に形成される。また、前記熱遮断部１４２はその中でも耐熱性が良いナイロンまたはＰＢＴ材質を利用して形成することができる。したがって、本発明の一実施形態によるブラシ付アイロン１００を使用者が使うとき、高温の熱伝達部１４１が使用者の頭皮に接触しないで、相対的に熱がよく伝えられない前記熱遮断部１４２が頭皮に接触するので、使用者の頭皮を保護することができる。
【００４１】
前記固定部１５０は前記アイロンロール１２０の第２溝１２３に結合される。前記固定部１５０は前記アイロンロール１２０の直径より大きく形成されて前記第１溝１２２の側面を密閉する。したがって、前記固定部１５０は前記ブラシ１４０が前記アイロン１２０の第１溝１２２から離脱するのを防止する。
【００４２】
前記のようにして、本発明の一実施形態によるブラシ付アイロン１００は、アイロンロール１２０の側面に長さ方向に沿って第１溝１２２を具備し、前記第１溝１２２に結合する熱伝達部１４１を備えて、使用者の毛髪に前記熱伝達部１４１が接触するようにしてヘアスタイルのセッティングを容易に行うことができる。また、本発明の一実施形態によるブラシ付アイロン１００は前記熱伝達部１４１の内部に形成され、上部にさらに突出する熱遮断部１４２を備えて使用者の頭皮には熱伝達部１４１ではなく、熱遮断部１４２が接触するようにして、使用者の頭皮を温度が高い熱伝達部１４１から保護できる。
【００４３】
以下、本発明の他の実施形態によるブラシ付アイロンの構成について説明する。
【００４４】
図８は、本発明の他の実施形態によるブラシ付アイロンのアイロンロールとブラシの結合を示す断面図である。図９は、本発明の他の実施形態によるブラシ付アイロンのブラシを示す斜視図である。図１０は、本発明の他の実施形態によるブラシ付アイロンのブラシを示す正面図である。図１１は、本発明の他の実施形態によるブラシ付アイロンのブラシを示す側面図である。図１２は、本発明の他の実施形態によるブラシ付アイロンのブラシを示す平面図である。前述した前記実施形態と同一の構成および動作を有する部分については同一符号を付け、以下では、差異点を中心に説明する。
【００４５】
図８乃至図１２を参照すれば、本発明の他の実施形態によるブラシ付アイロン２００は取っ手（図示せず）、アイロンロール１２０、加熱ヒーター１３０、ブラシ２４０、固定部（図示せず）を含む。
【００４６】
前記ブラシ２４０は前記アイロンロール１２０の内部に結合される。前記ブラシ２４０は前記アイロンロール１２０の第１溝１２２に結合されて、使用者の毛髪に熱を伝える。また、前記ブラシ２４０の上部は、使用者の頭皮に接触するようになる。したがって、前記ブラシ２４０は熱伝導性が低いプラスチック、好ましくは耐熱性が良いナイロンまたはＰＢＴで構成され、前記頭皮を熱から保護する。
【００４７】
前記ブラシ２４０は複数個が一体に形成される一列単位で具備される。つまり、前記ブラシ２４０は、前記アイロンロール１２０の第１溝１２２の１本当たりに一体である一列ずつ結合される。また、前記ブラシ２４０は前記下部に段差２４０ａを備え、結合時に前記段差２４０ａが前記第１溝１２２に結合することによって、結合後、前記ブラシ２４０が離脱しないようにすることができる。そして、前記ブラシ２４０は前記アイロンロール１２０の第２溝１２３が形成される側の端部から、前記第１溝１２２に前記段差２４０ａが結合されるようにして、一度に結合することができる。したがって、本発明の他の実施形態によるブラシ付アイロン２００の生産性を向上することができる。
【００４８】
前記のようにして、本発明の他の実施形態によるブラシ付アイロン２００は、一列ずつ一体に形成されるブラシ２４０を備え、前記ブラシ２４０が前記アイロンロール１２０の第１溝１２１に一度に結合できるようにすることによって、生産性を高めることができる。また、本発明の他の実施形態によるブラシ付アイロン２００はブラシ２４０をプラスチック材質、好ましくは耐熱性が良いナイロンまたはＰＢＴ材質で形成することにより熱が伝えられるのを減らすことで、使用者の頭皮を高い温度の熱から保護することができる。
【００４９】
以下、本発明のまた他の実施形態によるブラシ付アイロンの構成について説明する。
【００５０】
図１３は、本発明のまた他の実施形態によるブラシ付アイロンを示す斜視図である。図１４は、本発明のまた他の実施形態によるブラシ付アイロンを示す側面図である。図１５は、本発明のまた他の実施形態によるブラシ付アイロンのアイロンロールを示す正面図である。図１６は、本発明のまた他の実施形態によるブラシ付アイロンのアイロンロールを示す平面図である。
【００５１】
図１３乃至図１６を参照すれば、本発明のまた他の実施形態によるブラシ付アイロン３００は取っ手３１０、アイロンロール３２０、加熱ヒーター（図示せず）、ブラシ１４０、固定部３５０を含む。
【００５２】
前記取っ手３１０は使用者が把持する部分であって、電源１１１、温度調節部１１２、ディスプレイ１１３を含むことができる。前記取っ手３１０は前記アイロンロール３２０のうち、前記ブラシ１４０が結合する面の反対面を取り囲む。したがって、前記アイロンロール３２０が露出するのを防止して、本発明のまた他の実施形態によるブラシ付アイロン３００を使用者が使うとき、アイロンロール３２０から保護する。
【００５３】
前記アイロンロール３２０はほぼプレート形状に形成される。前記アイロンロール３２０は一面に長さ方向に沿って形成される溝３２１を有する。前記溝３２１は前記アイロンロール３２０の面積に応じて、その形成される個数が変わることはもちろんである。前記溝３２１には前記ブラシ１４０が結合されて、前記アイロンロール３２０の一面に向かって突出する。前記アイロンロール３２０は前記ブラシ１４０を通常のクッション櫛型に形成することになる。
【００５４】
前記固定部３５０は前記アイロンロール３２０の端部に結合される。前記固定部３５０は前記アイロンロール３２０の溝３２１を密閉して、前記ブラシ１４０が離脱するのを防止する。
【００５５】
前記のようにして、本発明のまた他の実施形態によるブラシ付アイロン３００はプレート形状のアイロンロール３２０の一面にブラシ１４０の熱伝達部１４１が結合されるようにしてクッション櫛型を形成することによって、熱伝達部１４１が毛髪に接触するようにして使用者がヘアスタイルを容易にセッティングすることができる。また、本発明のまた他の実施形態によるブラシ付アイロン３００は、ブラシ１４０の内部に形成されて上部に突出する熱遮断部１４２を備えることによって、使用者の頭皮を高温の熱伝達部１４１から保護できる。また、図示していないが、ブラシ１４０の代わりに本発明の他の実施形態によるブラシ付アイロン２００のブラシ２４０を備えることも可能であり、この場合、生産性を高めることができる。
【００５６】
以下、本発明のまた他の実施形態によるブラシ付アイロンの構成について説明する。
【００５７】
図１７は、本発明のまた他の実施形態によるブラシ付アイロンの熱伝導部を示す側面図である。図１８は、本発明のまた他の実施形態によるブラシ付アイロンの保護部を示す側面図である。図１９は、本発明のまた他の実施形態によるブラシ付アイロンの熱伝導部に熱遮断部および保護部が結合された状態を示す側面図である。
【００５８】
図１７を参照すれば、本発明のまた他の実施形態によるブラシ付アイロンに使用される熱伝導部４４１は、前述した前記実施形態での熱伝導部１４１に比べて長さが短い。ただし、前記熱伝導部４４１は内部に溝４４１ａを備え、後述する熱遮断部が結合する。
【００５９】
図１８を参照すれば、本発明のまた他の実施形態によるブラシ付アイロンに使用される保護部４４３は、前記熱伝導部４４１の長さ方向を基準に両端部に位置する。前記保護部４４３は前記熱伝導部４４１とともにアイロンロールの溝に結合する。前記保護部４４３は前記熱伝導部４４１が両端部に位置するのを防止して、使用者の手を熱から保護できる。
【００６０】
図１９を参照すれば、本発明のまた他の実施形態によるブラシ付アイロンに使用されるブラシ４４０は前記熱伝導部４４１に熱遮断部４４２が結合し、前記熱伝導部４４１の両端に前記保護部４４３が位置して形成される。このとき、前記熱遮断部４４２は個別に分離された複数個を備える。前記熱遮断部４４２は複数個が前記熱伝導部４４１の内部に個別に結合される。したがって、前記熱遮断部４４２は前記熱伝導部４４１の長さに関係なく形成され、前記熱遮断部４４１は、様々な長さの熱伝導部４４１に対して結合することができるので、生産性が高くなる。
【００６１】
以上の説明は、本発明によるブラシ付アイロンを実施するための一つの実施形態に過ぎないものであって、本発明は前記実施形態に限定されるものではなく、以下の特許請求の範囲で請求するように本発明の要旨を逸脱することなく当該発明の属する分野で通常の知識を有する者であれば、誰でも多様な変更実施が可能な範囲で、本発明の技術的な精神があるとする。
【産業上の利用可能性】
【００６２】
本発明によるブラシ付アイロンは、アイロンロールの側面に長さ方向に沿って溝を具備し、溝に結合される熱伝達部を備えて、使用者の毛髪に熱伝達部が接触するようにしてヘアスタイルのセッティングを容易に行なうことができる。
【００６３】
また、本発明によるブラシ付アイロンは、前記熱伝達部の内部に形成され、さらに、上部に突出する熱遮断部を備えて、使用者の頭皮に熱遮断部を接触させることによって、使用者の頭皮を温度が高い熱伝達部から保護できる。
【００６４】
また、本発明によるブラシ付アイロンは、一列ずつ一体に形成されるブラシを備えて、ブラシが前記アイロンロールの溝に一度に結合することによって、生産性を高めることができる。
【図１】
0005636441.tif 000002
【図２】
0005636441.tif 000003
【図３】
0005636441.tif 000004
【図４】
0005636441.tif 000005
【図５】
0005636441.tif 000006
【図６】
0005636441.tif 000007
【図７】
0005636441.tif 000008
【図８】
0005636441.tif 000009
【図９】
0005636441.tif 000010
【図１０】
0005636441.tif 000011
【図１１】
0005636441.tif 000012
【図１２】
0005636441.tif 000013
【図１３】
0005636441.tif 000014
【図１４】
0005636441.tif 000015
【図１５】
0005636441.tif 000016
【図１６】
0005636441.tif 000017
【図１７】
0005636441.tif 000018
【図１８】
0005636441.tif 000019
【図１９】
0005636441.tif 000020